(57)【要約】      （修正有）【課題】安価で小型のドアの自動閉合器を提供する。【解決手段】ドアの自動閉合器は、主に、固定板と圧板を枢接し、弾性体の設置により、固定板と圧板の間に弾性回復する対応角度を保持し、固定板軸心外に滑動嵌槽を設置し、S字型弾性片が圧板内部で抵止し、且つ、圧板前端は滑動槽を有して、滑動座と接続し、固定板と滑動座はそれぞれ、フレームとドア上に結合され、弾性体により圧板に相対して施圧し、ドアの閉合を維持し、且つ、完全にドアを開く過程中、滑動嵌槽が圧板内に旋転進入するので、S字型弾性片は滑動嵌槽の旋動に伴って、滑動嵌槽中で滑動すると共に、圧迫変形し、ドアが完全に開かれた後、S字型弾性片は湾曲して圧板を外に推す力を生成するので、ドアを完全に開いた状態に保持することができる。【選択図】図２
0003139094.tif 000002
【実用新案登録請求の範囲】
【請求項１】
ドアの自動閉合器であって、主に、固定板をフレームに固定し、圧板がドアを圧制し、枢接された固定板と圧板中に弾性体を有して、前記固定板と前記圧板間の弾性回復の対応角度を維持し、前記固定板軸心の軸向け外側に滑動嵌槽を設置し、S字型弾性片が容置後、前記圧板内部で抵止し、且つ、前記圧板前端に滑動槽を有して、滑動座を接続し、弾性体の変形回復力により、前記ドアの密合を保ち、ドアが完全に開くと、前記S字型弾性片が前記滑動嵌槽の旋転進入により湾曲し、前記圧板を外に推す力を生成することを特徴とするドアの自動閉合器。
【請求項２】
前記S字型弾性片の前記圧板を外に推す力は、前記固定板と前記圧板の枢接構造関係により、角度が制限されることを特徴とする請求項１に記載のドアの自動閉合器。
【考案の詳細な説明】
【技術分野】
【０００１】
本考案は、ドアの自動閉合器に関する。
【背景技術】
【０００２】
開けたドアを閉めるのは一種の礼儀であり、安全性を考慮したものでもあるが、多くの使用者はこのようなことを習慣づけておらず、ドアを開けて入った後、ドアをそのままにしておき、侵入される恐れがある。室内の空調効果も悪くなるので、この問題を解決するため、自動ヒンジ構造が多く開発され、自動ヒンジを装着後、開けたドアは自動的に閉合される効果を有するので、ドアが常時閉められた状態を維持することができ、便利である。
【０００３】
しかし、公知の自動ヒンジ構造は、装着上、フレーム、及び、ドアの組み合わせにより作用するもので、ドアの装着前に、どのような自動ヒンジを使用するかを考慮して、ドアとフレームの構造に施工する。しかし、一般の生活において存在するドアは、自動閉合効果を有さない一般のドア構造であることが多いので、各種自動ヒンジは直接装着使用することができず（ドアとフレームの対応位置、或いは、間隔は、自動ヒンジを装着できるかどうかの問題に影響する）、よって、使用者は、一般の既に完成されたドア上に自動ヒンジを採用する時、まず、ドア全体を取り外し、自動ヒンジに必要なドア尺寸、及び、フレームとの対応位置に対し、加工、改装する必要があるので、自動ヒンジの装着過程が複雑で、一般の使用者には受け入れがたく、一般の使用者により自身で装着することもできないので、自動ヒンジが普及しない。
【０００４】
また、公知中に、気圧、油圧シリンダのドア閉合補助構造を加設しているものがあるが、設置コストが高く、体積も大きいので、一般の使用者には受け入れられない。
【考案の開示】
【考案が解決しようとする課題】
【０００５】
本考案は、ドアの自動閉合器を提供し、上述の問題を改善することを目的とする。
【課題を解決するための手段】
【０００６】
本考案のドアの自動閉合器は、主に、固定板と圧板を枢接し、弾性体の設置により、固定板と圧板の間に弾性回復する対応角度を保持し、固定板軸心外に滑動嵌槽を設置し、S字型弾性片が圧板内部で抵止し、且つ、圧板前端に滑動槽を有して、滑動座を接続し、故に、実施後、以下のような効果が得られる。
【考案の効果】
【０００７】
１．本考案の固定板と滑動座は、それぞれ、フレームとドア上に結合され、且つ、弾性体が圧板に対し施圧を生成するので、滑動座によりドアを連結する圧板は、相対して圧制力を生成し、開けられたドアの自動閉合功能を生成する。
２．本考案のドアは、完全に開かれる過程中、滑動嵌槽が圧板内に旋転進入するので、S字型弾性片は滑動嵌槽の旋動に伴って、滑動嵌槽中で滑動すると共に、圧迫変形し、ドアが完全に開かれた後、S字型弾性片は湾曲して圧板を外に推す力を生成するので（この時のS字型弾性片はほぼU字型である）、ドアを完全に開いた状態に保持し、使用者が再度ドアを閉合する過程で、再度、S字型弾性片の変形時に、弾性体の回復力により、圧板を作用させて、ドアを自動閉合する。
【考案を実施するための最良の形態】
【０００８】
本考案のドアの自動閉合器は、主に、固定板１と圧板２を枢接し（図１を参照する）、弾性体３の設置により、固定板１と圧板２の間に弾性回復する対応角度を有し、固定板１軸心１１外に滑動嵌槽１２を設置し、S字型弾性片４一端が圧板２内部で抵止し、且つ、圧板２前端に滑動槽２１を有して、滑動座５を接続し、これにより、本考案のドアの自動閉合器１０を構成する（図２で示される）。
【０００９】
上述の素子により、固定板１はフレーム６上で固定され（図３で示される）、滑動座５は、ドア７上に固接されるので、弾性体３の弾力により圧制される圧板２は、滑動座５により、ドア７を閉合状態で維持し、使用者が、ドア７を開けるとき、ドア７のヒンジ８の旋転中心が、自動閉合器１０の軸心１１と異なるので、ドア７は、旋転により生じる位置偏移により、滑動座５と圧板２の相対シフトで消去され、ドア７の操作はいかなる障害もなく、ドア７が開くと同時に、圧板２の旋動が、弾性体３に大きな弾性変形を生じさせるので、ドア７を放すと、弾性体３の回復力により、ドア７が自動的に閉合する。
【００１０】
また、使用者が、ドア７を開いた状態にしたい場合、ドア７を開く過程で、滑動嵌槽１２の旋動方向が圧板２内に旋転進入するので、S字型弾性片４は、滑動嵌槽１２の旋転により、滑動嵌槽１２中で滑動を生成し、圧迫変形し、ドア７が完全に開かれた後、S字型弾性片４は湾曲して圧板を外に推す力を生成するので（図４で示されるように、この時のS字型弾性片はほぼU字型であり、S字型弾性片４は圧板２を外に推す力は、固定板１と圧板２の枢接構造関係により角度が制限される）、S字型弾性片４の弾力が弾性体３の回復力より大きく、よって、ドア７を完全に開いた状態に保持する。反対に、使用者が再度ドア７を閉合する過程で、ドア７の閉合角度（力）が、再度、S字型弾性片４の変形時に、弾性体３の回復力により、圧板２を作用させて、ドア７を自動閉合する。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の構造図である。
【図２】本考案の外観図である。
【図３】本考案の実施図である。
【図４】本考案の動作状態図である。
【符号の説明】
【００１３】
１   
固定板
１１  軸心
１２  滑動嵌槽
２   
圧板
２１  滑動槽
３    弾性体
４    S字型弾性片
５    滑動座
６    フレーム
７    ドア
８    ヒンジ
１０  自動閉合器
【図１】
0003139094.tif 000003
【図２】
0003139094.tif 000004
【図３】
0003139094.tif 000005
【図４】
0003139094.tif 000006